(57)【要約】【課題】包装容器の厚みを厚くすることなく包装容器内の永久磁石の磁力線が背面側及び前面側に漏洩するのを軽減し、陳列等される商品同士が磁着し合うのを防止する。【解決手段】磁性材から成る平板材によって、底壁部２と左右両側の立上り壁部３を有する形状に形成されている。底壁部は、その前後幅が、永久磁石４底面の前後幅より幅狭になっている。立上り壁は、永久磁石の厚みよりも高くなっている。底壁部に永久磁石を磁着させて、底壁部と左右立上り壁部とによって囲まれた空間に永久磁石を収容する。収容された永久磁石からの磁力線は、底壁部と立上り壁部を通る磁気回路を形成する。永久磁石上面の磁極と立上がり壁部上部との磁力作用空間で、磁力線は、立上がり壁部上端に集中することなく、立上がり壁部上端から永久磁石上面までの立上がり壁部上部域にかけて分散される。【選択図】図２
2004031399.tif 000002
【特許請求の範囲】
【請求項１】
磁性材から成る平板材によって形成され、
底壁部と左右両側の立上り壁部を有し、
底壁部は、その前後幅が、収容される永久磁石底面の対応する前後幅よりも幅狭に形成され、
左右両側の立上り壁は、収容される永久磁石の厚みよりも高く形成されており、
底壁部に永久磁石底面を磁着させて、底壁部と左右立上り壁部とによって囲まれた空間に永久磁石を収容したときに、収容された永久磁石からの磁力線が底壁部及び左右立上り壁部を通って永久磁石へと至る磁気通路が形成され、
永久磁石上面の磁極と左右立上がり壁部上部との磁力作用空間で、磁力線が左右立上がり壁部の上端に集中することなく、左右立上がり壁部上端から永久磁石上面までの左右立上がり壁部上部域にかけて分散されている、
ことを特徴とする、永久磁石の磁気漏洩軽減用ホルダ。
【請求項２】
請求項１記載の永久磁石の磁気漏洩軽減用ホルダにおいて、
前記左右両側の立上り壁部は、上端面が互いに対向するように内向きに屈曲された内向端部を有する、
ことを特徴とする永久磁石の磁気漏洩軽減用ホルダ。
【発明の詳細な説明】
【０００１】
【発明の属する技術分野】
本発明は、包装容器などに収容された永久磁石の磁力線が外部に漏洩するのを軽減するためのホルダに関するものである。
【０００２】
【従来技術】
一般向けの小型の永久磁石は、通常、ブリスターパックなどの包装容器内に収容され、陳列台などのフックに吊下げられ、商品として販売される。この場合、収容される永久磁石の磁力が強いと、磁力線が包装容器を透過してしまい、前後に隣り合う商品の磁石が互いに吸引し合って、包装容器同志がくっつきあってしまう。
【０００３】
このため、図５及び図６に見られるように、包装容器Ａの背面側空間に、薄い鉄板Ｂと軽量な非磁性材（例えばスポンジ材）から成るスペーサ部材Ｃを収容したものが提案されている。スペーサ部材Ｃは、前後の包装容器Ａ，Ａに収容された永久磁石Ｄ相互間の距離を確保するとともに背面側へのあるいは背面側からの磁力線の透過を抑制して、磁力線の影響力を受けにくくする。
【０００４】
【発明が解決しようとする課題】
しかし、ネオジウム系磁石やサマリウム系磁石などの希土類磁石のように磁束密度の高い磁石の場合、実際にはこうした鉄板Ｂやスペーサ部材Ｃだけでは、磁力線が包装容器外部に漏洩するのを十分には防ぎきれない。しかも、図６に矢印で示すように、包装容器Ａに収容された永久磁石から放射される磁力線が、包装容器前面側に拡散すること自体を何ら軽減あるいは抑制するものではない。
【０００５】
また、前後の包装容器内の永久磁石Ｄの距離を離すために、スペーサ部材Ｃを厚く形成する関係上、包装容器全体の厚みが増し、その分、陳列台の１本の棒状フックＥに掛けられる商品の数が少なくなる。
【０００６】
本発明の目的は、簡単な構造の部材によって、包装容器の厚みを厚くすることなく包装容器内の永久磁石の磁力線が背面側及び前面側に漏洩するのを軽減し、陳列等される商品同士が磁着し合うのを防止する、永久磁石の磁気漏洩軽減用ホルダを提供することにある。
【０００７】
【課題を達成するための手段】
本発明は、上記した目的を達成するために次の構成を備える。
すなわち、この磁気漏洩軽減用ホルダは、磁性材から成る平板材によって形成され、底壁部と左右両側の立上り壁部を有する。底壁部は、その前後幅が、収容される永久磁石底面の対応する前後幅よりも幅狭に形成されている。左右両側の立上り壁は、収容される永久磁石の厚みよりも高く形成されている。そして、底壁部に永久磁石底面を磁着させて、底壁部と左右立上り壁部とによって囲まれた空間に永久磁石を収容したときに、収容された永久磁石からの磁力線が底壁部及び左右立上り壁部を通る磁気回路を形成し、永久磁石上面の磁極と左右立上がり壁部上部との磁力作用空間で、磁力線が左右立上がり壁部の上端に集中することなく、左右立上がり壁部上端から永久磁石上面までの左右立上がり壁部上部域にかけて分散されている、点に特徴を有する。
【０００８】
左右両側の立上り壁部は、上端面が互いに対向するように内向きに屈曲された内向端部を有するように形成しても良い。
【０００９】
【実施の最良の形態】
以下、本発明を図示した実施例に基づいて詳説する。
図１は、本発明の一実施例に係るホルダの斜視図である。
このホルダ１は、磁性材から成る平板材の左右両側端を屈曲することによって、中央部に底壁部２を、両側端に立上り壁部３，３を有する形状に形成されている。
【００１０】
底壁部２は、収容すべき永久磁石４の横幅よりも広めの左右幅を有し、また、永久磁石４の底面の対応する前後幅よりも狭い前後幅を有する。
左右両側の立上り壁部３は、収容される永久磁石４の厚みよりも高く形成されている。
【００１１】
ホルダ１は、底壁部２に永久磁石底面を磁着させて、底壁部２と左右立上り壁部３とによって囲まれた空間に永久磁石４を収容したときに、収容された永久磁石４からの磁力線が底壁部２及び左右立上り壁部３を通って永久磁石４へと至る磁気通路を形成する。
【００１２】
しかしながら、この磁気通路は、磁力線を上端部に集中させるヨークとは異なる磁気通路を成す。すなわち、永久磁石４の横幅と厚みに対する底壁部２の左右幅と立上り壁部３の高さを所定の関係に設定することにより、永久磁石上面の磁極と左右立上がり壁部上部との磁力作用空間で、磁力線が左右立上がり壁部３の上端に集中することなく、左右立上がり壁部上端から永久磁石上面までの左右立上がり壁部上部域３ａ（図２参照）にかけて分散されるようにしてある。
【００１３】
このホルダ１に磁着された永久磁石４は、台紙５とフロントカバー６から成る包装容器内にそのまま収容されて、従来品と同様に陳列台などのフック７に掛止されて販売される（図３参照）。永久磁石４は、印刷が施された台紙上にクッション材を敷設あるいは敷設することなく直接に載置され、透明なフロントカバー６で覆われている。
【００１４】
包装容器内の永久磁石４は、例えば前面側がＮ極で背面側がＳ極（図２では上面がＮ極、下面がＳ極）であるとして、Ｎ極からの磁力線が立上がり壁部３の上端からホルダ内部を通ってＳ極へと至る磁気通路を通る。しかし、この磁気通路は、磁力線を左右立上がり壁部３の上端に集中させるような磁気通路ではない。図２に示すように、左右の立上り壁部３と磁石の左右側面とが離れており（図中符号ｄ参照）、磁石上面と左右立上がり壁部上端との距離も比較的長くとってあるために、磁力線は、左右立上がり壁部上端から永久磁石上面までの左右立上がり壁部上部域３ａにかけて分散して左右立上り壁部内部に至る。
【００１５】
このため、ホルダ前方の空間には、磁力線はほとんど放出されず、しかも立上がり壁部３の上端部に集中するものでもないから、立上がり壁部上端を含むホルダ１の前面には比較的に弱い磁場しか形成されないことになる。
この結果、フック７に掛止されて前後に隣り合う包装容器は、内部に収容された永久磁石４の磁力線によって互いに強力にくっつき合うこともなくなる。
【００１６】
また、包装容器の厚みは、ホルダ１の左右立上り壁部３の高さと底壁部２の厚み並びに台紙５とフロントカバー６の厚み分しかないので、前記したスペーサ部材等を用いるものに比べて１本のフック７により多くの商品を陳列することが可能となる。
【００１７】
ホルダ１から永久磁石４を取り外すには、ホルダ１が永久磁石４の左右側面方向のみを規制しているので、前後方向いずれかの永久磁石端面を押して底壁部２上をずらすことにより、簡単に離脱させることができる。磁力の強い磁石にあっても同様の手法によって、容易にホルダと永久磁石を分離できる。
【００１８】
図４は、本発明の別の実施例に係るホルダの斜視図である。
この実施例のホルダ１１は、左右両側の立上り壁部１３が内向端部１３ａを備える。内向端部１３ａは、立上がり壁部１３の上端面を互いに対向するように内向きに屈曲することにより形成されている。
【００１９】
本実施例のホルダによれば、永久磁石４の上面の磁極からのあるいは磁極への磁力線が立上がり壁部１３の磁気通路との関係で更に分散され、ホルダ前方への磁力線の放出を更に軽減できる。なお、図中符号１２は、ホルダ１１の底壁部である。
【００２０】
【発明の効果】
本発明によれば、次の効果を奏する。
永久磁石が磁着される底壁部を、その両側に連設された左右の立上り壁部と永久磁石の左右側面との間に隙間を生じる長さに形成し、また立上がり壁部を、その上端と永久磁石上面との距離がある程度長くなるように形成ししてあり、永久磁石の磁力線が、左右立上がり壁部上端から永久磁石上面までの左右立上がり壁部上部域にかけて分散して左右立上り壁部内部に至る磁気通路を形成するようにしたので、包装容器内の永久磁石の磁力線が背面側及び前面側に漏洩するのを軽減することができる。
【００２１】
また、ホルダの左右の立上がり壁部はそれほど長くする必要もないので、これを収容する包装容器の厚みを薄くすることができ、数多くの商品を互いに磁着し合うことなく吊下げ等して陳列することができる。
【図面の簡単な説明】
【図１】本発明の一実施例に係るホルダの斜視図。
【図２】図１のホルダの作用を示す説明図。
【図３】図１のホルダの使用状態を示す側面図。
【図４】本発明の他の実施例に係るホルダの分斜視図。
【図５】従来技術を有する永久磁石包装容器の外観斜視図。
【図６】図５の包装容器の断面図。
【符号の説明】
１，１１　　　　ホルダ
２，１２　　　　底壁部
３，１３　　　　左右の立上り壁部
４，Ｄ　　　　　永久磁石
５　　　　　　　台紙
６　　　　　　　フロントカバー
７　　　　　　　フック
１３ａ　　　　　内向端部
Ｂ　　　　　　　スペーサ部材
【図１】
2004031399.tif 000003
【図２】
2004031399.tif 000004
【図３】
2004031399.tif 000005
【図４】
2004031399.tif 000006
【図５】
2004031399.tif 000007
【図６】
2004031399.tif 000008